(57)【特許請求の範囲】
【請求項１】
給水タンク（２）と、ヒータ（３）を備えた有底筒状の湯沸かしタンク（５）と、給水タンク（２）と湯沸かしタンク（５）とを連結する給水パイプ（７）と、コーヒー粉、紅茶葉等をセットするチャンバー（９）と、湯沸かしタンク（５）内の沸騰水をチャンバー（９）上方へ導くを吐出パイプ（１０）と、保温容器を載置する載置部（１２）とを具備した飲料抽出機（１）を設け、この飲料抽出機（１）のチャンバー（９）から抽出された抽出液を貯蔵する飲料抽出機用の保温容器（１１）に於いて、上記保温容器（１１）が抽出液を貯蔵する内容器（１３）と、内容器（１３）の外壁底部を囲んで内容器内の抽出液を保温する保温ヒータ（１４）と、内容器（１３）内の抽出液を外部へ吐出する吐出機構（１５）と、吐出機構（１５）を駆動する電動ポンプ手段（１６）と、保温容器（１１）が飲料抽出機の載置部（１２）から離れた状態で電動ポンプ手段（１６）へ通電する充電器（１７）と、飲料抽出機からの電源と充電器からの電源とを電動ポンプ手段（１６）へ切替える電源制御手段（１８）とを具備し、保温容器（１１）を飲料抽出機の載置部（１２）にセットした状態では電源制御手段（１６）によって飲料抽出機に導入の電源が保温容器（１１）の保温ヒータ（１４）を通電し、かつ充電器（１７）を充電すると共に電動ポンプ手段（１６）をも通電して吐出機構（１５）を操作可能とする一方、保温容器（１１）が飲料抽出機の載置部（１２）より離れた状態では電源制御手段（１６）によって保温容器（１１）の充電器（１７）の電源が電動ポンプ手段（１６）を通電して吐出機構（１５）を操作可能とすることを特徴とした飲料抽出機用の保温容器。
【発明の詳細な説明】
【０００１】
【産業上の利用分野】
本発明は飲料抽出機からのコーヒー、紅茶等の抽出液を保温し、電動ポンプ手段を介して出湯を行う飲料抽出機用の保温容器に関するものである。
【０００２】
【従来の技術】
従来、業務用として用いられる飲料抽出機は、給水タンクと、ヒータを備えた有底筒状の湯沸かしタンクと、給水タンクと湯沸かしタンクとを連結する給水パイプと、コーヒー粉、紅茶葉等をセットするチャンバーと、湯沸かしタンク内の沸騰水をチャンバー上方へ導くを吐出パイプと、チャンバー底面より抽出された抽出液を貯える保温容器と、保温容器を載置し保温容器内の抽出液を保温するウォーマーとを具備し、給水タンクに所望の水を給水すると給水パイプを通じて湯沸かしタンク内に入り、この湯沸かしタンク内の水がヒータにて加熱されて沸騰する。
【０００３】
更に、給水タンクに必要とする所定の水を追加すると給水パイプを通じて湯沸かしタンク内に追加の水が供給され、湯沸かしタンク内でこの追加の水に相当する沸騰水がサイホン現象の働きにて吐出パイプを通じてチャンバー上部へ吐出される。このチャンバーには濾紙を敷いた後、コーヒー粉、紅茶葉等の原料をセットし、このチャンバー上部より吐出された沸騰水は原料と混合し、チャンバー下部より抽出液となって滴下され、容器内に溜められる。
【０００４】
【発明が解決しようとする課題】
ところが、この種の飲料抽出機にあっては、コップ等へ注ぐ際に一旦ウォーマーより保温容器を取り外し、重量の嵩張る保温容器を持ち上げ、傾ける操作が煩わしい作業となっていた。特に、飲み場所と飲料抽出機載置場所とが離れている際には、重量の嵩張る保温容器をいちいち飲み場所にて持ち上げねばならず、また飲み場所と飲料抽出機載置場所とを往復しなければならず、非常に煩わしい作業となるという問題点があった。
【０００５】
そこで、本発明はこのような従来の飲料抽出機用の保温容器が有していた課題を解決したものであって、飲料抽出機に保温容器をセットした状態にあっても保温容器を取り外すことなく、電動ポンプ手段を介して出湯できると共に保温容器を飲み場所へ移動しても保温容器を持ち上げ傾ける必要もなく、電動ポンプ手段を介して出湯できることを目的とした飲料抽出機用の保温容器を提供するにある。
【０００６】
【課題を解決するための手段】
上記目的を達成するために、本発明の飲料抽出機用の保温容器１１は、抽出液を貯蔵する内容器１３と、内容器１３の外壁底部を囲んで内容器内の抽出液を保温する保温ヒータ１４と、内容器１３内の抽出液を外部へ吐出する吐出機構１５と、吐出機構１５を駆動する電動ポンプ手段１６と、保温容器１１が飲料抽出機の載置部１２から離れた状態で電動ポンプ手段１６へ通電する充電器１７と、飲料抽出機からの電源と充電器からの電源とを電動ポンプ手段１６へ切替える電源制御手段１８とを具備し、保温容器１１を飲料抽出機の載置部１２にセットした状態では電源制御手段１６によって飲料抽出機に導入の電源が保温容器１１の保温ヒータ１４を通電し、かつ充電器１７を充電すると共に電動ポンプ手段１６をも通電して吐出機構１５を操作可能とする一方、保温容器１１が飲料抽出機の載置部１２より離れた状態では電源制御手段１６によって保温容器１１の充電器１７の電源が電動ポンプ手段１６を通電して吐出機構１５を操作可能とする構成としている。
【０００７】
【発明の実施の形態】
以下、本発明の実施例について図に基づき説明する。
図中、図１は本発明実施例の構成図、図２は本発明実施例の保温容器をセットした状態の飲料抽出機の縦断面図、図３は本発明実施例の保温容器の縦断面図である。
【０００８】
飲料抽出機１は特にオフィス等で使用される業務用のものであって、図２に示すように、装置本体内上部の給水タンク２と、装置本体内に配置したヒータ３を備えた熱板４と、この熱板４上に載置した湯沸かしタンク５と、湯沸かしタンク５の上端開口を閉鎖する密閉蓋６と、給水タンク２と湯沸かしタンク５とを連結する給水パイプ７と、装置本体の上端開口を閉鎖する装置本体用蓋８と、コーヒー粉、紅茶葉等の原料をセットするすりばち状のチャンバー９と、湯沸かしタンク５内の沸騰水をチャンバー９上方へ導く吐出パイプ１０と、保温容器１１を載置するチャンバー下方の載置部１２と、コンセントからの電源をコントロールするマイクロコンピュータによる電気回路機構とからなっている。この飲料抽出機１の載置部１２は保温容器１１の電源供給用のプラグ２１を差し込む保温容器用のコンセントを設けている。
【０００９】
保温容器１１は図３に示すように、飲料抽出機１のチャンバー９から抽出液を貯える内容器１３と、内容器１３の外壁底部に内容器内の抽出液を保温する保温ヒータ１４と、内容器１３を囲んだ外装ケース１９と、外装ケース１９上端の肩部材２０と、外装ケース１９下端の底部材２１と、肩部材２０の上端に着脱自在に装着する蓋体２２と、肩部材２０前方の嘴部２３に設けたスイッチ等を備える操作部２４と、内容器１３の抽出液を外部へ吐出する吐出機構１５と、この吐出機構１５を駆動する電動ポンプ手段１６と、内容器１３と外装ケース１９との間に設けた充電器１７と、飲料抽出機１からの電源又は充電器１７からの電源のどちらかを電動ポンプ手段１６へ切替える電源制御手段１８と、保温容器１１に入力された電源によって保温ヒータ１４、電動ポンプ手段１６、充電器１７、電源制御手段１８を操作するマイクロコンピュータによる電気回路機構とからなっている。２５はハンドルである。
【００１０】
飲料抽出機１は給水タンク２に所定の水を給水すると給水パイプ７を通じて湯沸かしタンク５内に入り、この湯沸かしタンク５内の水をヒータ３にて加熱、沸騰させる。
更に、給水タンク２に所望の水を追加すると給水パイプ７を通じて湯沸かしタンク５内に追加の水が供給される。
【００１１】
この湯沸かしタンク５内で追加の水に相当する沸騰水がサイホン現象の働きにて吐出パイプ１０を通じてチャンバー９上部へ吐出される。このチャンバー９には濾紙を敷いた後、コーヒー粉、紅茶葉等の原料をセットし、このチャンバー９上部より吐出された沸騰水が原料と混合し、チャンバー９下部より熱い抽出液となって滴下し、保温容器１１内に溜められる。
【００１２】
この飲料抽出機１は保温容器１１が載置部１２にセットされ、保温容器用コンセントに保温容器のプラグ２１が差し込まれると、業務用のコンセントに差し込まれた飲料抽出機１のプラグより電源が保温容器１１へ入力され保温容器１１のマイクロコンピュータによる電気回路機構の働きにて保温容器１１の保温ヒータ１４に通電し、保温容器１１の内容器１３を加熱し、内容器１３内の抽出液を温める。
【００１３】
又、保温容器１１のマイクロコンピュータによる電気回路機構の働きにて保温容器１１に入力の電源を保温容器１１の充電器１７に通電し、急速充電する。この充電に際しては、飲料抽出機１の給水タンク２に所望の水を追加し、サイホン現象にて湯沸かしタンク５内の追加の水に相当する沸騰水がチャンバー９内に送られ、抽出液としてチャンバー９下方より滴下する間の時間（約３分〜５分間）に充電を完了している。
【００１４】
更に、保温容器１１のマイクロコンピュータによる電源制御手段１８をも駆動して、電動ポンプ手段１６に通電し、保温容器１１の操作部２４の注水用スイッチのＯＮにて吐出機構１５を作動し保温容器１１内の温められた抽出液をコップ２６等へ注水する。
【００１５】
保温容器１１の電動ポンプ手段１６は電動ポンプ２７と、この電動ポンプ２７を駆動するモータとからなっており、このモータが飲料抽出機１からの電源又は保温容器１１の充電器１７からの電源にて駆動することとなる。
保温容器１１の充電器１７は充電完了すると操作部２４の注水用スイッチのＯＮにて内容器１３内にある抽出液全てを注水できるに必要な電動ポンプ２７への電力を備えている。
【００１６】
保温容器１１の吐出機構１５は電動ポンプ手段１６の電動ポンプ２７を介して内容器１３と連通する揚水パイプ２８と、揚水パイプ２８からの抽出液を肩部材２０の嘴部２３の前方下端より吐出する注水パイプ２９と、電動ポンプ２７と揚水パイプ２８とを連通する第１ジョイント３０と、揚水パイプ２８と注水パイプ２９とを連通する第２ジョイント３１と、第２ジョイント３１内にあって保温容器１１転倒時に止水する転倒止水弁３２とからなっている。
【００１７】
保温容器１１の充電器１７は内容器１３内の抽出液を全て吐出できるに必要な電力を充電しており、この電力の充電が飲料抽出機１の抽出液摘出時間内で急速充電されている。
保温容器１１の電源制御手段１８はマイクロコンピュータによる電気回路機構の働きにて、飲料抽出機１からの電源又は充電器１７からの電源を切替えて、保温容器１１が飲料抽出機１の載置部１２にセットされている際には飲料抽出機１からの電源により電動ポンプ手段１６を駆動可能とし、保温容器１１が飲料抽出機１の載置部１２から離れた際には保温容器１１の充電器１７の電源により電動ポンプ手段１６を駆動可能としている。
【００１８】
保温容器１１の操作部２４は電動ポンプ手段１６のモータをＯＮ、ＯＦＦする注水用スイッチを設けており、この注水用スイッチのＯＮにてモータを介して電動ポンプ２７を駆動する。この電動ポンプ２７の駆動により内容器１３内の抽出液が電動ポンプ２７を通り、揚水パイプ２８内を上昇し注水パイプ２９の先端よりコップ２６等の受器内に注がれる。
【００１９】
保温容器１１の蓋体２２はレバー３３操作にて蓋体上端中央を開閉自在としており、飲料抽出機１の載置部１２に保温容器１１が載置され、飲料抽出機１の抽出液を抽出する際に、レバー３３を摺動して蓋体上端中央を開放し蓋体２２内部を通り内容器１３内と連通して、チャンバー９下方からの抽出液を直接内容器１３内へ滴下する。滴下終了後レバー３３を逆方向に摺動して蓋体上端中央を閉鎖する。
【００２０】
次に操作について説明すると、
飲料抽出機１の給水タンク２に所定の水を給水し、コンセントからの交流電源を直流電源に変換して、この直流電源にてヒータ３をＯＮする。このヒータ３のＯＮにて湯沸かしタンク５内の水を沸騰状態まで加温する。
【００２１】
更に、飲料抽出機１の載置部１２に保温容器１１をセットし、蓋体２２のレバー３３を摺動して蓋体上端中央を開放し、内容器１３内と連通した状態として、飲料抽出機１の給水タンク２に所望の水を追加すると、湯沸かしタンク５内に追加の水が供給される。
【００２２】
この湯沸かしタンク５内でこの追加の水に相当する沸騰水がサイホン現象の働きにてチャンバー９へ吐出する。このチャンバー９内の沸騰水はコーヒー粉、紅茶葉等の原料と混合し、チャンバー９下部より抽出液として滴下し、保温容器１１の内容器１３内に溜められる。
【００２３】
チャンバー９からの抽出液の滴下が終了すると蓋体２２のレバー３３を逆方向に摺動して蓋体上端中央を閉鎖する。
この給水タンク２に追加の水を供給して、チャンバー９下部から抽出液が滴下するまでの時間に、飲料抽出機１のマイクロコンピュータによる電気回路機構を介して保温容器１１の充電器１７を充電する。
このとき、抽出液の滴下までの時間に約３分〜５分の時間を必要とする間に充電器１７を充電している。
【００２４】
また、保温容器１１のマイクロコンピュータによる電気回路機構の働きにて保温容器１１の保温ヒータ１４に電源を供給して、保温容器１１の内容器１３を加温し、内容器１３内の抽出液を暖かく維持すると同時に、保温容器１１のマイクロコンピュータによる電気回路機構の働きにて電源制御手段１８が切替わり、保温容器１１の操作部２４の注水用スイッチのＯＮにて電動ポンプ手段１６を駆動し、吐出機構１５を作動して注水パイプ２９の先端よりコップ２６等へコーヒー、紅茶等を注ぎ得る。
【００２５】
次に、飲料抽出機１の載置部１２より保温容器１１を離した状態ではハンドル２５を持ち上げて所定の飲み場所まで運び、保温容器１１の操作部２４の注水用スイッチをＯＮするだけで、保温容器１１のマイクロコンピュータによる電気回路機構の働きにて電源制御手段１８が作動し、充電器１７からの電源にて電動ポンプ手段１６のモータを駆動して、吐出機構１５を作動して注水パイプ２９の先端よりコップ２６等へコーヒー、紅茶等を注ぎ得る。
【００２６】
以上本発明の代表例と思われる実施例について説明したが、本発明は必ずしもこれらの実施例構造のみに限定されるものではなく、本発明にいう前記の構成要件を備え、かつ本発明にいう目的を達成し、以下にいう効果を有する範囲内において適宜改変して実施することができるものである。
【００２７】
【発明の効果】
以上の説明から既に明らかなように、本発明にいうところの飲料抽出機用の保温容器は抽出液を貯蔵する内容器と、内容器の外壁底部を囲んで内容器内の抽出液を保温する保温ヒータと、内容器内の抽出液を外部へ吐出する吐出機構と、吐出機構を駆動する電動ポンプ手段と、保温容器が飲料抽出機の載置部から離れた状態で電動ポンプ手段へ通電する充電器と、飲料抽出機からの電源と充電器からの電源とを電動ポンプ手段へ切替える電源制御手段とを具備し、保温容器を飲料抽出機の載置部にセットした状態では電源制御手段によって飲料抽出機に導入の電源が保温容器の保温ヒータを通電し、かつ充電器を充電すると共に電動ポンプ手段をも通電して吐出機構を操作可能とする一方、保温容器が飲料抽出機の載置部より離れた状態では電源制御手段によって保温容器の充電器の電源が電動ポンプ手段を通電して吐出機構を操作可能とする構成としているので、飲料抽出機に保温容器をセットした状態にあっても保温容器を取り外すことなく、電動ポンプ手段を介して出湯できると共に保温容器を飲み場所へ移動しても保温容器を持ち上げ傾ける必要もなく、電動ポンプ手段を介して出湯できるという顕著な効果を期待することが出来るに至ったのである。
【図面の簡単な説明】
【図１】本発明実施例の構成図。
【図２】本発明実施例の保温容器をセットした状態の飲料抽出機の縦断面図。
【図３】本発明実施例の保温容器の縦断面図。
【符号の説明】
１…飲料抽出機
２…給水タンク
３…ヒータ
５…湯沸かしタンク
７…給水パイプ
９…チャンバー
１０…吐出パイプ
１１…保温容器
１２…載置部
１３…内容器
１４…保温ヒータ
１５…吐出機構
１６…電動ポンプ手段
１７…充電器
１８…電源制御手段
２４…操作部
【図１】
0003633882.tif 000002
【図２】
0003633882.tif 000003
【図３】
0003633882.tif 000004